(57)【要約】【課題】ロック解除操作の幅を広げること。【解決手段】１つの態様において、装置（例えば、スマートフォン）１は、ロック画面および該ロック画面上を移動する第１のオブジェクトを表示するタッチスクリーンディスプレイと、第１のオブジェクトが移動した軌跡に対するジェスチャがタッチスクリーンディスプレイによって検出された場合に、ロック画面が表示されるロック状態を解除するコントローラとを有する。例えば、装置（例えば、スマートフォン）１は、第１のオブジェクトの移動に追随するスワイプが検出された場合には、ロック状態を解除する。【選択図】図７
2013131180.tif 000002
【特許請求の範囲】
【請求項１】
ロック画面および該ロック画面上を移動する第１のオブジェクトを表示するタッチスクリーンディスプレイと、
前記第１のオブジェクトが移動した軌跡に対するタッチジェスチャが前記タッチスクリーンディスプレイによって検出された場合に、前記ロック画面が表示されるロック状態を解除するコントローラと
を備える装置。
【請求項２】
前記タッチスクリーンディスプレイは、前記ロック画面上に第２のオブジェクトをさらに表示し、
前記コントローラは、前記軌跡と重なる位置にある前記第２のオブジェクトに対するタッチジェスチャが前記タッチスクリーンディスプレイによって検出された場合に、前記ロック状態を解除する請求項１に記載の装置。
【請求項３】
前記コントローラは、前記軌跡と、複数の前記第２のオブジェクトとが重なった順序で、複数の前記第２のオブジェクトの各々に対するタッチジェスチャが前記タッチスクリーンディスプレイによって検出された場合には、前記ロック状態を解除する請求項２に記載の装置。
【請求項４】
前記コントローラは、前記軌跡と、複数の前記第２のオブジェクトとが重なった場合に、前記軌跡と最後に重なった前記第２のオブジェクトに対するタッチジェスチャが前記タッチスクリーンディスプレイによって検出された場合に、前記ロック状態を解除する請求項２に記載の装置。
【請求項５】
前記コントローラは、前記軌跡と、複数の前記第２のオブジェクトとが重なってから一定時間内に該第２のオブジェクトに対するタッチジェスチャが前記タッチスクリーンディスプレイによって検出された場合には、前記ロック状態を解除する請求項２に記載の装置。
【請求項６】
前記コントローラは、前記軌跡と重なる位置にある前記第２のオブジェクトの表示態様を変更する請求項２〜５のいずれか１つに記載の装置。
【請求項７】
タッチスクリーンディスプレイを備える装置を制御する方法であって、
ロック画面および該ロック画面上を移動する第１のオブジェクトをタッチスクリーンディスプレイに表示させるステップと、
前記第１のオブジェクトが移動した軌跡に対するジェスチャが前記タッチスクリーンディスプレイによって検出された場合に、前記ロック画面が表示されるロック状態を解除するステップと
を含む方法。
【請求項８】
タッチスクリーンディスプレイを備える装置に、
ロック画面および該ロック画面上を移動する第１のオブジェクトをタッチスクリーンディスプレイに表示させるステップと、
前記第１のオブジェクトが移動した軌跡に対するジェスチャが前記タッチスクリーンディスプレイによって検出された場合に、前記ロック画面が表示されるロック状態を解除するステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者によって操作されない期間がある期間継続するとロック状態へ移行する。ロック状態において、タッチスクリーンデバイスは、特定の操作を除いて、利用者の操作を受け付けない。特定の操作とは、例えば、ロック状態を解除するためのロック解除操作である。
【０００６】
このように、タッチスクリーンデバイスは、ロック状態に頻繁に移行するので、利用者がロック解除操作を行う頻度は高い。このような理由により、ロック解除操作の操作性を向上させることができる装置、方法、及びプログラムに対する必要性がある。
【課題を解決するための手段】
【０００７】
１つの態様に係る装置は、ロック画面および該ロック画面上を移動する第１のオブジェクトを表示するタッチスクリーンディスプレイと、前記第１のオブジェクトが移動した軌跡に対するタッチジェスチャが前記タッチスクリーンディスプレイによって検出された場合に、前記ロック画面が表示されるロック状態を解除するコントローラとを備える。
【０００８】
１つの態様に係る方法は、タッチスクリーンディスプレイを備える装置を制御する方法であって、ロック画面および該ロック画面上を移動する第１のオブジェクトをタッチスクリーンディスプレイに表示させるステップと、前記第１のオブジェクトが移動した軌跡に対するタッチジェスチャが前記タッチスクリーンディスプレイによって検出された場合に、前記ロック画面が表示されるロック状態を解除するステップとを含む。
【０００９】
１つの態様に係るプログラムは、タッチスクリーンディスプレイを備える装置に、ロック画面および該ロック画面上を移動する第１のオブジェクトをタッチスクリーンディスプレイに表示させるステップと、前記第１のオブジェクトが移動した軌跡に対するタッチジェスチャが前記タッチスクリーンディスプレイによって検出された場合に、前記ロック画面が表示されるロック状態を解除するステップとを実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、ロック画面の一例を示す図である。
【図６】図６は、ロック画面の一例を示す図である。
【図７】図７は、実施形態に係るスマートフォンの構成を示すブロック図である。
【図８】図８は、ロック画面内をオブジェクトが移動した軌跡に対するタッチジェスチャの検出に応じてロック状態を解除する制御の例を示す図である。
【図９】図９は、ロック画面の一例を示す図である。
【図１０】図１０は、ロック画面内を移動するオブジェクト６１の移動パターンの一例を示す図である。
【図１１】図１１は、ロック画面内をオブジェクトが移動した軌跡に対するタッチジェスチャの検出に応じてロック状態を解除する制御の他の例を示す図である。
【図１２】図１２は、ロック画面内をオブジェクトが移動した軌跡に対するタッチジェスチャの検出に応じてロック状態を解除する制御の他の例を示す図である。
【図１３】図１３は、第１のオブジェクトと重なった第２のオブジェクトの表示態様を変更する制御の例を示す図である。
【図１４】図１４、第１のオブジェクトと重なった第２のオブジェクトの表示態様を変更する制御の他の例を示す図である。
【図１５】図１５は、図１５は、第１のオブジェクトが移動した軌跡に対するタッチジェスチャが検出された場合に、ロック状態を解除する制御を実行する処理手順を示す図である。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３４】
図５及び図６を参照しながら、ディスプレイ２Ａに表示されるロック画面の例について説明する。図５及び図６は、ロック画面の一例を示す図である。スマートフォン１は、図４に示すホーム画面４０の他に、図５及び図６に示すロック画面６０をディスプレイ２Ａに表示する。ロック画面６０は、ロック状態において、利用者がスマートフォン１に所定の操作を行った場合に表示される。スマートフォン１は、ロック画面６０に対して行われる操作が予め定められた条件を満たす場合に、ロック状態を解除する。
【００３５】
図５に示すロック画面６０は、ディスプレイ２Ａがブラックアウトから復帰した時に、ディスプレイ２Ａに最初に表示される画面である。ロック画面６０には、蜂をモデルにしたオブジェクト６１が表示される。蜂をモデルにしたオブジェクト６１は、第１のオブジェクトの一例である。オブジェクト６１は、例えば、図６のステップＳ１〜ステップＳ３に示すように、ディスプレイ２Ａにロック画面６０が表示されている間、ロック画面６０内をランダムに移動する。オブジェクト６１の移動は、図６に示す例に限定されない。
【００３６】
図７は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３９】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４０】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４１】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４２】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４３】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４５】
ストレージ９は、例えば、制御プログラム９Ａ、メールアプリケーション９Ｂ、ブラウザアプリケーション９Ｃ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。
【００４６】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック状態においてロック画面６０を表示する機能と、ロック画面６０内を移動するオブジェクト６１が移動した軌跡に対するタッチジェスチャがタッチスクリーン２Ｂによって検出された場合に、ロック状態を解除する機能とが含まれる。制御プログラム９Ａが提供する機能は、メールアプリケーション９Ｂ等の他のプログラムが提供する機能と組み合わせて利用されることがある。
【００４７】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４９】
コントローラ１０は、例えば、制御プログラム９Ａを実行することにより、ロック画面６０内を移動するオブジェクト６１が移動した軌跡に対するタッチジェスチャがタッチスクリーン２Ｂによって検出された場合に、ロック状態を解除する処理を実行する。
【００５０】
カメラ１２は、フロントフェイス１Ａに面している物体を撮影するインカメラである。カメラ１３は、バックフェイス１Ｂに面している物体を撮影するアウトカメラである。
【００５１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５３】
図７においてストレージ９が記憶するプログラムの一部又は全部は、通信ユニット６による無線通信で他の装置からダウンロードされてもよい。図７においてストレージ９が記憶するプログラムの一部又は全部は、ストレージ９に含まれる読み取り装置が読み取り可能な非一過的な記憶媒体に記憶されていてもよい。図７においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５４】
図７に示したスマートフォン１の構成は一例であり、本出願の要旨を損なわない範囲において適宜変更してよい。例えば、ボタン３の数と種類は図７の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図７に示した例では、スマートフォン１が２つのカメラを備えるが、スマートフォン１は、１つのカメラのみを備えてもよいし、カメラを備えなくてもよい。図７に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５５】
図８〜図１３を参照しながら、制御プログラム９Ａが提供する機能に基づく制御の例について説明する。制御プログラム９Ａが提供する機能には、ロック画面６０内を移動するオブジェクト６１が移動した軌跡に対するタッチジェスチャがタッチスクリーン２Ｂによって検出された場合に、ロック状態を解除する機能が含まれる。
【００５６】
図８は、ロック画面６０内をオブジェクト６１が移動した軌跡に対するタッチジェスチャの検出に応じてロック状態を解除する制御の例を示している。図８に示すステップＳ１１〜ステップＳ１５では、ロック画面６０内を移動するオブジェクト６１が移動した軌跡に対するタッチジェスチャの検出に応じてロック状態が解除され、ディスプレイ２Ａにホーム画面４０が表示される様子を示している。
【００５７】
ステップＳ１１では、オブジェクト６１がステップＳ１１に示す位置にあることを示している。ステップＳ１２では、オブジェクト６１がステップＳ１１に示す位置からステップＳ１２に示す位置に移動した状態にあり、利用者の指がステップＳ１１でオブジェクト６１があった位置にタッチした状態であることを示している。ステップＳ１３では、オブジェクト６１がステップＳ１２に示す位置からステップＳ１３に示す位置に移動した状態にあり、利用者の指がステップＳ１２に示す位置からステップＳ１３に示す位置にスワイプした状態であることを示している。ステップＳ１４では、オブジェクト６１がステップＳ１３に示す位置からステップＳ１４に示す位置に移動した状態にあり、利用者の指がステップＳ１３に示す位置からステップＳ１４に示す位置にスワイプした状態であることを示している。ステップＳ１５では、ロック状態が解除されて、ディスプレイ２Ａにホーム画面４０が表示された状態であることを示している。
【００５８】
スマートフォン１は、図８のステップＳ１２〜ステップＳ１４に示すように、オブジェクト６１が移動した軌跡に対するタッチジェスチャとして、オブジェクト６１の移動に追随するスワイプが検出されると、ロック状態を解除する。ロック状態を解除した後、スマートフォン１は、例えば、ステップＳ１５に示すように、ホーム画面４０をディスプレイ２Ａに表示する。そして、スマートフォン１は、記憶している軌跡に対するタッチジェスチャが検出された場合に、ロック状態を解除する。
【００５９】
具体的には、スマートフォン１は、第１のオブジェクトの移動が移動した軌跡を記憶する。そして、スマートフォン１は、記憶している軌跡に対するタッチジェスチャが検出された場合に、ロック状態を解除する。例えば、図８に示すように、スマートフォン１は、第１のオブジェクトの移動が移動した軌跡に対するタッチジェスチャとして、オブジェクト６１の移動に追随するスワイプが検出された場合に、ロック状態を解除する。このように、スマートフォン１は、ロック画面上をオブジェクト６１が移動した軌跡に対するタッチジェスチャを行うという使用者にとって簡単で分かりやすい操作が行われた場合にロック状態を解除する。このため、本実施形態では、ロック解除操作の操作性を向上させることができる。
【００６０】
スマートフォン１は、オブジェクト６１の移動に追随するスワイプが、オブジェクト６１の移動が移動した軌跡と厳密に一致していなくても、オブジェクト６１の移動が移動した軌跡に対するタッチジェスチャとして検出してもよい。スマートフォン１は、オブジェクト６１の移動に追随するスワイプの移動距離が一定の距離より長いである場合に、ロック状態を解除してもよい。すなわち、スワイプにおける接触位置がオブジェクト６１の移動に追随するように移動した距離が一定の距離より長くない場合、利用者が意図的にロック解除操作を行っていない可能性があるため、ロック状態を解除しなくてもよい。
【００６１】
図８では、スマートフォン１が、第１のオブジェクトが移動した軌跡に対するタッチジェスチャとして、オブジェクト６１の移動に追随するスワイプが検出された場合にロック状態を解除する制御の例を説明したが、これには限定されない。以下、図面を参照しつつ、他の例を説明する。
【００６２】
図９に、ロック画面６０の他の例を示す。図９に示すように、ロック画面６０には、ロック画面６０内を移動するオブジェクト６１に加えて、花をモデルにしたオブジェクト６２ａ、６２ｂおよび６２ｃが表示される。花をモデルにしたオブジェクト６２ａ、６２ｂおよび６２ｃは、第２のオブジェクトの一例である。
【００６３】
図１０は、図９に示すロック画面６０内を移動するオブジェクト６１の移動パターンの一例を示している。ステップＳ２１では、オブジェクト６１がステップＳ２１に示す位置にあることを示している。ステップＳ２２では、オブジェクト６１がステップＳ２１に示す位置からオブジェクト６２ａの位置に移動した状態であることを示している。ステップＳ２３では、オブジェクト６１がオブジェクト６２ａの位置からオブジェクト６２ｂの位置に移動した状態であることを示している。ステップＳ２４では、オブジェクト６１がオブジェクト６２ｂの位置からオブジェクト６２ｃの位置に移動した状態であることを示している。ステップＳ２５では、オブジェクト６１がオブジェクト６２ｃの位置からステップＳ２５に示す位置に移動した状態であることを示している。図１０では、オブジェクト６１は、花をモデルにしたオブジェクト６２ａ〜６２ｃと重なるように、花をモデルにしたオブジェクト６２ａ〜６２ｃを順に移動する。
【００６４】
図１０では、オブジェクト６１は、花をモデルにしたオブジェクト６２ａ〜６２ｃを順に移動する例を示しているが、これには限定されず、オブジェクト６２ａ〜６２ｃを図１０とは異なる順に移動してもよい。
【００６５】
図１１は、ロック画面６０内をオブジェクト６１が移動した軌跡に対するタッチジェスチャの検出に応じてロック状態を解除する制御の他の例を示している。図１１は、オブジェクト６１が、図１０に示すステップＳ２１〜ステップＳ２５までの移動を行った直後の状態を示している。図１１に示すステップＳ３１〜ステップＳ３５では、ロック画面６０内をオブジェクト６１が移動した軌跡に対するタッチジェスチャの検出に応じてロック状態が解除され、ディスプレイ２Ａにホーム画面４０が表示される様子を示している。
【００６６】
ステップＳ３１では、オブジェクト６１が、図１０に示すステップＳ２１〜ステップＳ２５までの移動を行った直後であり、ステップＳ３１に示す位置にあることを示している。すなわち、オブジェクト６１は、オブジェクト６２ａ、６２ｂ、及び６２ｃとこの順序で重なった後に、ステップＳ３１に示す位置まで移動している。ステップＳ３２では、利用者の指がオブジェクト６２ａをタップした状態であることを示している。ステップＳ３３では、利用者の指がオブジェクト６２ｂをタップした状態であることを示している。ステップＳ３４では、利用者の指がオブジェクト６２ｃをタップした状態であることを示している。ステップＳ３５では、ロック状態が解除されて、ディスプレイ２Ａにホーム画面４０が表示された状態であることを示している。図１１に示すステップＳ３１〜ステップＳ３４では、オブジェクト６１が移動していない例を示すが、移動していてもよい。
【００６７】
スマートフォン１は、図１１のステップＳ３２〜ステップＳ３４に示すように、オブジェクト６１が移動した軌跡に対するタッチジェスチャとして、オブジェクト６１とオブジェクト６２ａ〜６２ｃとが重なった順序で、オブジェクト６２ａ〜６２ｃの各々に対するタップが検出されると、ロック状態を解除する。ロック状態を解除した後、スマートフォン１は、例えば、ステップＳ３５に示すように、ホーム画面４０をディスプレイ２Ａに表示する。
【００６８】
具体的には、スマートフォン１は、第１のオブジェクトの移動が移動した軌跡と重なる位置に表示されている第２のオブジェクトの情報を第１のオブジェクトが重なった順にそれぞれ記憶する。第１のオブジェクトと第２のオブジェクトが重なったと判定する基準は、例えば、第１のオブジェクトの一部と第２のオブジェクトの一部とが重なることでもよいし、第１のオブジェクトの中心と第２のオブジェクトの中心とが一致することでもよい。第１のオブジェクトと第２のオブジェクトが重なったか否かを利用者が判断しやすいように、スマートフォン１は、第２のオブジェクトと重なるように第１のオブジェクトを制御する場合以外は、第１のオブジェクトと第２のオブジェクトとの距離が一定以上近付かないようにしてもよい。あるいは、スマートフォン１は、第１のオブジェクトと第２のオブジェクトとが重なった場合に、第１のオブジェクトをその場で一定時間静止させてもよい。
【００６９】
そして、スマートフォン１は、第２のオブジェクトに対するタッチジェスチャが、第２のオブジェクトの情報が記憶された順に、第２のオブジェクトに対するタッチジェスチャが検出された場合には、ロック状態を解除する。例えば、図１１に示す場合、スマートフォン１は、オブジェクト６１とオブジェクト６２ａ〜６２ｃとが重なった順に、オブジェクト６２ａ〜６２ｃの情報を記憶する。そして、スマートフォン１は、オブジェクト６１とオブジェクト６２ａ〜６２ｃとが重なった順に、オブジェクト６２ａ〜６２ｃの各々に対するタップを検出すると、ロック状態を解除する。このように、スマートフォン１は、第１のオブジェクトと重なった第２のオブジェクトをタップするという使用者にとって簡単で分かりやすい操作が行われた場合にロック状態を解除する。このため、本実施形態によれば、ロック解除操作の操作性を向上させることができる。
【００７０】
図１１では、スマートフォン１が、移動する第１のオブジェクトと、移動しない複数の第２のオブジェクトとがロック画面６０において重なる順序で、複数の第２のオブジェクトの各々に対して検出されるタッチジェスチャとして、オブジェクト６２ａ〜６２ｃの各々に対するタップを検出する場合を説明したが、これには限定されない。以下、図面を参照しつつ、他の例を説明する。
【００７１】
図１２は、ロック画面６０内をオブジェクト６１が移動した軌跡に対するタッチジェスチャの検出に応じてロック状態を解除する制御の他の例を示している。図１２は、オブジェクト６１が、図１０に示すステップＳ２１〜ステップＳ２５までの移動を行った直後の状態を示している。図１２に示すステップＳ４１〜ステップＳ４３では、ロック画面６０内をオブジェクトが移動した軌跡に対するタッチジェスチャの検出に応じてロック状態が解除され、ディスプレイ２Ａにホーム画面４０が表示される様子を示している。
【００７２】
図１２に示すように、スマートフォン１は、タッチスクリーン２Ｂの検出結果を取得し、検出結果からオブジェクト６１が移動した軌跡に対するタッチジェスチャが検出されると、ロック状態を解除する。例えば、スマートフォン１は、図１２のステップＳ４２に示すように、オブジェクト６１が移動した軌跡と最後に重なったオブジェクト６２ｃに対するタップが検出されると、ロック状態を解除する。ロック状態を解除した後、スマートフォン１は、例えば、ステップＳ４３に示すように、ホーム画面４０をディスプレイ２Ａに表示する。
【００７３】
上述してきたように、スマートフォン１は、第１のオブジェクトが移動した軌跡と重なる位置にある第２のオブジェクトに対するタッチジェスチャが検出された場合に、ロック状態を解除する。すなわち、スマートフォン１は、第１のオブジェクトの移動により形成される軌跡と、複数の第２のオブジェクトとが重なった場合に、この軌跡と最後に重なった第２のオブジェクトに対するタッチジェスチャが検出された場合に、ロック状態を解除する。例えば、図１２に示すように、スマートフォン１は、オブジェクト６１と最後に重なったオブジェクト６２ｃに対するタップを検出すると、ロック状態を解除する。
【００７４】
図１１及び図１２に示す場合において、スマートフォン１は、タップではなく、タッチ、フリック、あるいはロングタッチなどを検出してもよい。ロック状態を解除するためにタップすべき第２のオブジェクトの数は、１個、又はロック画面６０に表示されている第２のオブジェクトの総数に限定されず、予め設定された任意の数でよい。ロック状態を解除するためにタップすべき第２のオブジェクトの数がロック画面６０に表示されている第２のオブジェクトの総数より少ない場合、第１のオブジェクトと重なった順に第２のオブジェクトに対するタッチジェスチャが行われなくてもよい。ロック画面６０に表示する第２のオブジェクトの数は、３個でなくてもよい。
【００７５】
図１３は、オブジェクト６１と重なったオブジェクト６２ａ〜６２ｃの表示態様を変更する制御の例を示している。図１３に示すステップＳ５１〜ステップＳ５５では、ロック画面６０内を移動するオブジェクト６１と重なったオブジェクト６２ａ〜６２ｃの表示態様が変更される様子を示している。
【００７６】
ステップＳ５１では、オブジェクト６１がステップＳ５１に示す位置にあることを示している。ステップＳ５２では、オブジェクト６１がステップＳ５１に示す位置からオブジェクト６２ａの位置に移動した状態であることを示している。ステップＳ５３では、オブジェクト６１がオブジェクト６２ａの位置からオブジェクト６２ｂの位置に移動した状態にあり、オブジェクト６２ａが揺れている状態であることを示している。ステップＳ５４では、オブジェクト６１がオブジェクト６２ｂの位置からオブジェクト６２ｃの位置に移動した状態にあり、オブジェクト６２ａ及びオブジェクト６２ｂが揺れている状態であることを示している。ステップＳ５５では、オブジェクト６１がオブジェクト６２ｃの位置からステップＳ５５に示す位置に移動した状態にあり、オブジェクト６２ａ〜６２ｃが揺れている状態であることを示している。
【００７７】
図１３に示すように、スマートフォン１は、タッチスクリーン２Ｂの検出結果を取得し、検出結果からオブジェクト６１が移動した軌跡と、オブジェクト６２ａ〜６２ｃとが重なる位置にあることが検出されると、オブジェクト６２ａ〜６２ｃの表示態様を変更する。例えば、スマートフォン１は、図１３のステップＳ５２〜ステップＳ５４に示すように、オブジェクト６１が移動した軌跡と重なる位置にあるオブジェクト６２ａ〜６２ｃの表示態様を、静止している状態から揺れている状態に変更する。
【００７８】
上述してきたように、スマートフォン１は、第１のオブジェクトが移動した軌跡と重なる位置にある第２のオブジェクトの表示態様を変更する。例えば、図１３に示すように、スマートフォン１は、オブジェクト６１が移動した軌跡と重なる位置にあるオブジェクト６２ａ〜６２ｃの表示態様を揺れている状態に変更する。このようなことから、本実施形態によれば、利用者は、第１のオブジェクトが移動した軌跡と重なる位置にある第２のオブジェクトを視覚的に確認できる。このように、スマートフォン１は、第１のオブジェクトと重なった第２のオブジェクトの表示態様を変更するので、利用者は、ロックを解除するためのどの第２のオブジェクトをタップすればよいかを容易に把握することができる。そのため、ロック解除操作の操作性が向上される。
【００７９】
図１４は、オブジェクト６１と重なったオブジェクト６２ａ〜６２ｃの表示態様を変更する制御の他の例を示している。図１４に示すように、スマートフォン１は、例えば、図１１のステップＳ６２〜ステップＳ６４に示すように、オブジェクト６１が移動した軌跡と重なる位置にあるオブジェクト６２ａ〜６２ｃの表示態様を、つぼみの状態から開花した状態に変更してもよい。
【００８０】
スマートフォン１は、第１のオブジェクトが移動した軌跡と重なる位置にある第２のオブジェクトの表示態様する場合、図１３及び図１４に示す例に限定されず、第２のオブジェクトの色や大きさを変更してもよい。
【００８１】
スマートフォン１は、第１のオブジェクトが重なってから所定の時間が経過した第２のオブジェクトの表示態様を元に戻してもよい。そして、スマートフォン１は、表示態様が元に戻った第２のオブジェクトに対するタップジェスチャを無視してもよい。すなわち、スマートフォン１は、時間に関する制限を設け、第１のオブジェクトが重なった第２のオブジェクトに対するタップジェスチャが制限時間内に検出されなければ、ロック解除を行わなくてもよい。スマートフォン１は、第１のオブジェクトと重なった第２のオブジェクトの表示態様を変更しない場合でも、このような時間に関する制限を設けてもよい。
【００８２】
図１５を参照しながら、制御プログラム９Ａが提供する機能に基づく制御の処理手順の例について説明する。図１５は、第１のオブジェクトが移動した軌跡に対するタッチジェスチャが検出された場合に、ロック状態を解除する制御を実行する処理手順を示している。図１５に示す処理手順は、コントローラ１０が、制御プログラム９Ａを実行することによって実現される。図１５に示す処理手順は、ロック状態の継続中、コントローラ１０によって繰り返し実行される。
【００８３】
図１５に示すように、コントローラ１０は、ステップＳ１０１として、タッチスクリーンの検出結果を取得する。続いて、コントローラ１０は、ステップＳ１０２として、第１のオブジェクトが移動した軌跡に対するタッチジェスチャが検出されたか否かを判定する。例えば、コントローラ１０は、図８に示すように、オブジェクト６１の移動に追随するスワイプが検出されたか否かを判定する。あるいは、コントローラ１０は、図１１に示すように、オブジェクト６１とオブジェクト６２ａ〜６２ｃとが重なった順序で、オブジェクト６２ａ〜６２ｃの各々に対するタップが検出されたか否かを判定する。あるいは、コントローラ１０は、図１２に示すように、オブジェクト６１が移動した軌跡と最後に重なったオブジェクト６２ｃに対するタップが検出された否かを判定する。
【００８４】
コントローラ１０は、判定の結果、第１のオブジェクトが移動した軌跡に対するタッチジェスチャが検出された場合には（ステップＳ１０２，Ｙｅｓ）、ステップＳ１０３として、ロック状態を解除する。ロック状態を解除した後、スマートフォン１は、例えば、ディスプレイ２Ａにホーム画面４０を表示する。
【００８５】
これとは反対に、コントローラ１０は、判定の結果、第１のオブジェクトが移動した軌跡に対するタッチジェスチャが検出されなかった場合には（ステップＳ１０２，Ｎｏ）、そのまま処理を終了する。
【００８６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８７】
例えば、図７に示した各プログラムは、複数のモジュールに分割されていてもよい。あるいは、図７に示した各プログラムは、他のプログラムと結合されていてもよい。
【００８８】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００８９】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
2013131180.tif 000003
【図２】
2013131180.tif 000004
【図３】
2013131180.tif 000005
【図４】
2013131180.tif 000006
【図５】
2013131180.tif 000007
【図６】
2013131180.tif 000008
【図７】
2013131180.tif 000009
【図８】
2013131180.tif 000010
【図９】
2013131180.tif 000011
【図１０】
2013131180.tif 000012
【図１１】
2013131180.tif 000013
【図１２】
2013131180.tif 000014
【図１３】
2013131180.tif 000015
【図１４】
2013131180.tif 000016
【図１５】
2013131180.tif 000017